(57)【要約】  本発明は、制御インタフェースモジュール２００であり、前記制御インタフェースモジュール２００を介して、ホルダ３００内へ供給される少なくとも１つの固定素子によって、前記ホルダ３００に取り付けられ、照明モジュール１００を受けるよう適応される制御インタフェースモジュール２００であり、前記ホルダ３００が、前記照明モジュール１００に電力を供給するための電気的接続素子３０８と、前記照明モジュール１００を固定するための機械的接続素子１０４、１０４'、１０４''とを有する制御インタフェースモジュール２００であって、前記制御インタフェースモジュール２００が、前記ホルダ３００に配設される凹部３０４と合う少なくとも１つの凹部２０４を持つ内面２０２であって、前記少なくとも１つ凹部２０４が、前記照明モジュール１００の対応する突出部１０４を受けるよう構成される内面２０２と、制御ユニットからの制御信号を伝えるよう適応される少なくとも１本のワイヤを受けるよう適応される制御信号入力インタフェース２１４と、前記照明モジュール１００の制御信号コネクタ１０８を受け、前記制御信号を前記照明モジュール１００に供給するよう適応される制御信号出力インタフェース２１６とを有する制御インタフェースモジュール２００に関する。
2015500559.tif 000002
【特許請求の範囲】
【請求項１】
制御インタフェースモジュールであり、前記制御インタフェースモジュールを介して、ホルダ内へ供給される少なくとも１つの固定素子によって、前記ホルダに取り付けられ、照明モジュールを受けるよう適応される制御インタフェースモジュールであり、前記ホルダが、前記照明モジュールに電力を供給するための電気的接続素子と、前記照明モジュールを固定するための機械的接続素子とを有する制御インタフェースモジュールであって、前記制御インタフェースモジュールが、
前記ホルダに配設される凹部と合う少なくとも１つの凹部を持つ内面であって、前記少なくとも１つ凹部が、前記照明モジュールの対応する突出部を受けるよう構成される内面と、
制御ユニットからの制御信号を伝えるよう適応される少なくとも１本のワイヤを受けるよう適応される制御信号入力インタフェースと、
前記照明モジュールの制御信号コネクタを受け、前記制御信号を前記照明モジュールに供給するよう適応される制御信号出力インタフェースとを有する制御インタフェースモジュール。
【請求項２】
３つの間隔をおいて配置された凹部を更に有し、各凹部が、前記制御インタフェースモジュールの前記内面に円周方向に配置される請求項１に記載の制御インタフェースモジュール。
【請求項３】
前記凹部が互いから120°の間隔で配置される請求項２に記載の制御インタフェースモジュール。
【請求項４】
ホルダ及び制御インタフェースモジュールに取り付けられるよう構成され、少なくとも１つの光源を有する照明モジュールであって、前記照明モジュールが、
前記ホルダに配設される対応する凹部を通るよう設けられるよう適応される少なくとも１つの突出部を持つ外面と、
前記照明モジュールに電力を供給するために前記ホルダに配設される対応する電気的接続素子に合うよう適応される電気接点素子と、
前記照明モジュールに対する制御信号を受け取るために前記制御インタフェースモジュールの制御信号出力インタフェースを受けるよう適応される制御信号コネクタとを更に有する照明モジュール。
【請求項５】
３つの間隔をおいて配置された突出部を更に有し、各突出部が、前記照明モジュールの前記外面に円周方向に配置される請求項４に記載の照明モジュール。
【請求項６】
前記突出部が互いから120°の間隔で配置される請求項５に記載の照明モジュール。
【請求項７】
前記照明モジュールが前記制御インタフェースモジュールに取り付けられる場合に自動的に取り外されるよう適応される保護素子が前記制御信号コネクタに設けられる請求項４乃至６のいずれか一項に記載の照明モジュール。 
【請求項８】
前記電力が、前記ホルダに配設される電源コネクタによって前記照明モジュールに供給される請求項４乃至７のいずれか一項に記載の照明モジュール。
【請求項９】
ホルダと、請求項１乃至３のいずれか一項に記載の制御インタフェースモジュールと、請求項４乃至８のいずれか一項に記載の照明モジュールとを有する照明装置。
【発明の詳細な説明】
【技術分野】
【０００１】
本発明は、照明の分野に関し、より詳細には、照明モジュールを受けるよう適応される制御インタフェースモジュールであって、前記制御インタフェースモジュールが、前記照明モジュールの光源によって発される光の特性を変えることを可能にするために設けられる制御インタフェースモジュールに関する。本発明は、前記制御インタフェースモジュールに接続可能である、対応する照明モジュール、及び照明モジュールと制御インタフェースモジュールとを有する照明装置にも関する。
【背景技術】
【０００２】
広範囲の照明アプリケーションにおいて、発光ダイオード、ＬＥＤが用いられている。ＬＥＤには、明るい光を供給し、適度に安価であり、非常に少ない電力しか使わないという利点があるので、従来の照明に代わるものとしてＬＥＤを用いることが、ますます魅力的なものになっている。更に、ＬＥＤは長い耐用年数を持つ。例として、ＬＥＤランプは、50000時間もち得る。これは、白熱灯の耐用年数の最高50倍である。
【０００３】
ＬＥＤの開発は急速に進んでおり、従って、例えば蛍光灯のためのＴ−規格（T-standard）と同様の、（例えば複数のＬＥＤを有する）ＬＥＤモジュールを取り付け、電気的に接続するための規格化されたホルダを供給し、それによって、例えば異なる機能を供給する異なるＬＥＤ間の交換可能性を与えるホルダの更なるニーズがある。 
【０００４】
このような規格の或る手法は、多様なＬＥＤ製造業者によって作成される製品間の互換性を可能にし得る。従って、このような規格は、ＬＥＤモジュールとソケットとの間の規格化された嵌合を供給する。更に、その場合、ＬＥＤに電力を供給するために、ソケットに電源コネクタが接続される。
【０００５】
このような規格化は、顧客にとって互換性を向上させるが、依然として更なる改善のニーズがある。
【発明の概要】
【発明が解決しようとする課題】
【０００６】
本発明の目的は、照明モジュール用の制御インタフェースモジュールであって、前記照明モジュールによって供給される光の特性を変えるための制御インタフェースモジュールを提供することである。
【課題を解決するための手段】
【０００７】
本発明の或る態様によれば、制御インタフェースモジュールであり、前記制御インタフェースモジュールを介して、ホルダ内へ供給される少なくとも１つの固定素子によって、前記ホルダに取り付けられ、照明モジュールを受けるよう適応される制御インタフェースモジュールであり、前記ホルダが、前記照明モジュールに電力を供給するための電気的接続素子と、前記照明モジュールを前記ソケットに固定するための機械的接続素子とを有する制御インタフェースモジュールであって、前記制御インタフェースモジュールが、前記ホルダに配設される凹部と合う少なくとも１つの凹部を持つ内面であって、前記少なくとも１つ凹部が、前記照明モジュールの対応する突出部を受けるよう構成される内面と、制御ユニットからの制御信号を伝えるよう適応される少なくとも１本のワイヤを受けるよう適応される制御信号入力インタフェースと、前記照明モジュールの制御信号コネクタを受け、前記制御信号を前記照明モジュールに供給するよう適応される制御信号出力インタフェースとを有する制御インタフェースモジュールが提供される。
【０００８】
本発明は、制御インタフェースモジュールが、前記照明モジュールのための前記ホルダに設けられ得るという洞察に基づいている。このようにして、前記制御インタフェースモジュールは、例えば、前記照明モジュールの光源によって発せられる光の特性の制御の向上を供給し得る。本発明の利点は、少なくとも、前記制御インタフェースモジュールが、前記照明モジュールを受けるための既に予め規定されている機械的及び電気的インタフェースを持つホルダに接続され得ること、即ち、前記制御インタフェースモジュールが、照明モジュールのモジュール方式規格を満たすような機械的特性を具備することである。従って、前記制御インタフェースモジュールは、前記照明モジュールに配設される光源によって発せられる光の特性の調節も可能にし得る。それ故、前記照明モジュールには、依然として、例えば電源コネクタから、前記ホルダを介して電力が供給されることができ、前記制御インタフェースモジュールは、単に、前記光の特性の制御を可能にするよう構成され得る。このような光の特性は、例えば、前記光源の光度であり得る。
【０００９】
これによって、前記光源は、例えば、光の色、減衰速度、減光レベルに関して制御され得る。また、前記照明モジュールに幾つかの光源が配設される場合には、例えば、或る光源には、減衰させる信号が与えられ得る一方で、別の光源には、その光度を増大させる信号が与えられ得るなどように、各光源が個々に制御され得る。従って、前記制御インタフェースモジュールは、或る規格を利用する照明モジュールに設けられることができ、同時に、前記照明モジュールの前記光源によって発せられる光の更に望ましい特有の特徴を可能にする。 
【００１０】
「伝える」という表現は、前記制御信号入力インタフェースが、例えば外部制御ユニットから信号を受け取り、前記信号を前記制御信号出力インタフェースを介して前記照明モジュールに供給するよう構成されるというように解釈されるべきである。従って、これによって、前記照明モジュールの前記光源によって発される光の特性は、前記制御ユニットによって制御され得る。しかしながら、前記制御信号入力インタフェースに前記信号を供給する前記制御ユニットは、前記照明モジュール内の構成要素として設けられてもよいことに注意されたい。従って、前記照明モジュールのユーザは、更に、例えば、遠隔制御装置、前記制御ユニットに結合されるスイッチなどによって、前記照明モジュールの前記光源によって発される光の特性を制御し得る。前記制御ユニットは、例えば、ＤＡＬＩインタフェース、ＤＭＸインタフェース、ＰＷＭインタフェース、ＴＴＬロジックなどに接続され得る。
【００１１】
更に、前記制御インタフェースモジュールを前記ホルダに取り付けるよう適応される前記固定素子は、多くの方法で、例えば、前記制御インタフェースモジュールと前記ホルダとの間のネジ接続、前記制御インタフェースモジュールに取り付けられ、その後、前記ホルダにパチンとはめられるクリップ接続などを供給することによって、供給され得る。更に、前記制御インタフェースモジュール及び前記ホルダの前記凹部は、前記照明モジュールが、例えば、前記ホルダの底部にあるバヨネット取り付け具によって、前記ホルダに固定されるように構成され得る。
【００１２】
実施例によれば、前記制御インタフェースモジュールは、３つの間隔をおいて配置された凹部を更に有してもよく、各凹部は、前記制御インタフェースモジュールの前記内面に円周方向に配置される。 
【００１３】
更に、前記凹部は、互いから120°の間隔で配置され得る。これによって、前記凹部は、或る規格を満たすよう形成され得る。
【００１４】
前記照明モジュールは、或る規格の仕様を満たすことができ、これは、前記照明モジュールのユーザ又はオペレータが、前記ホルダを変更する必要なく、ＬＥＤライトエンジンの様々なブランド間での変更をすることを可能にする。従って、このような規格によって規定されるモジュール方式は、前記制御インタフェースモジュールで維持され得る。従って、前記制御インタフェースモジュールも、上述の制御信号コネクタを具備しない照明モジュールを受けるよう適応され得る。これによって、前記制御インタフェースモジュールを前記ホルダに取り付けさせることは、例えば減光又はシェーディングなどに関して制御される能力のない標準的な照明モジュールに対して、依然として可能であり得る。
【００１５】
本発明の別の態様によれば、ホルダ及び制御インタフェースモジュールに取り付けられるよう構成され、少なくとも１つの光源を有する照明モジュールであって、前記照明モジュールが、前記ホルダに配設される対応する凹部を通るよう設けられるよう適応される少なくとも１つの突出部を持つ外面と、前記照明モジュールに電力を供給するために前記ホルダに配設される対応する電気的接続素子に合うよう適応される電気接点素子と、前記照明モジュールに対する制御信号を受け取るために前記制御インタフェースモジュールの制御信号出力インタフェースを受けるよう適応される制御信号コネクタとを更に有する照明モジュールが提供される。
【００１６】
これによって、例えば上記のような制御インタフェースモジュールに取り付けられ得る照明モジュールが提供される。従って、前記照明モジュールは、例えば、前記照明モジュールの光源から発せられる光の特性が多様な方法で変更され得るように、前記信号入力インタフェース及び前記信号出力インタフェースを介して制御信号を受け取ることが可能であり得る。例えば、上でも記載したように、前記光源から発せられる光の光度が変更され得る。しかしながら、本発明は、光源を１つしか持たない照明モジュールには限定されず、前記照明モジュールには複数の光源が設けられ得ることに注意されたい。これによって、本発明の他の態様に関して上で記載したように、各光源が個々に制御され得る。更に、前記照明モジュールは、前記ホルダに配設される上記のアダプタ、即ち、規格の仕様を満たす標準的な構成を持たない前記ホルダにも接続され得る。 
【００１７】
更に、前記照明モジュールは、前記照明モジュールに制御インタフェースモジュールが接続されているかどうかを検出するよう構成され得る制御ユニットを具備し得る。従って、これによって、前記制御ユニットは、前記照明モジュールが制御インタフェースモジュールに接続される場合に、例えば、ＤＡＬＩインタフェース、ＤＭＸインタフェース、ＰＷＭインタフェース、ＴＴＬロジックなどから受け取った信号に基づいて、前記照明モジュールの前記光源によって発される光の特性を調節し得る。他方、前記制御ユニットが前記制御インタフェースモジュールの存在を検出しない場合には、前記照明モジュールは、依然として、例えば発光の様々な特有の特徴を制御する能力のない、普通の照明モジュールとして動作することが可能であり得る。従って、これによって、前記照明モジュールは、或る規格の仕様を満たす標準的なホルダに取り付けるために標準的な要件を満たすよう構成され得る。
【００１８】
更に、前記照明モジュールは、３つの間隔をおいて配置された突出部を有してもよく、各突出部は、前記照明モジュールの前記外面に円周方向に配置される。これによって、前記突出部は、前記制御インタフェースモジュール及び前記ホルダに配設される対応する凹部に嵌められるよう構成され得る。更に、前記突出部は、例えばバヨネット結合によって、前記ホルダに固定され得る。 
【００１９】
更に、前記突出部は、互いから120°の間隔で配置され得る。これによって、前記突出部は、或る規格の仕様を満たすように形成され得る。 
【００２０】
本発明の例示実施例によれば、前記照明モジュールが前記制御インタフェースモジュールに取り付けられる場合に自動的に取り外されるよう適応される保護素子が前記制御信号コネクタに設けられ得る。前記制御信号コネクタに配設される保護素子を有することの利点は、少なくとも、前記制御信号コネクタが、前記制御インタフェースモジュールに設けられる前に、外部からの損傷から保護され得ることである。また、前記照明モジュールが、制御インタフェースモジュールを含まないホルダに取り付けられる場合には、前記制御信号コネクタは、取り付けられた後に偶発的に損傷を与えられることから保護され得る。更に、前記保護素子は、前記照明モジュールが前記制御インタフェースモジュールに取り付けられる場合に、前記制御インタフェースモジュールが、前記保護素子が前記制御信号コネクタから外れるようにして前記保護素子に接触し得るように、構成され得る。その後、前記照明モジュールの前記制御信号コネクタには、前記制御インタフェースモジュールの制御信号出力インタフェースが接続され得る。
【００２１】
更に、前記ホルダに配設される電源コネクタによって、前記照明モジュールに電力が供給され得る。これによって、よく確立された便利なやり方で、前記照明モジュールに電力が供給される。 
【００２２】
本発明のこの態様の他の効果及び特徴は、本発明の先の態様に関して上で記載したのと同様の利点を供給する。
【００２３】
本発明の更に他の態様によれば、上述のホルダ及び制御インタフェースモジュール、並びに上述の照明モジュールを有する照明装置が提供される。この態様の効果及び特徴は、本発明の他の態様に関して上で記載したものとほとんど類似している。 
【００２４】
本発明の他の特徴及び利点は、添付の請求項及び以下の記載を研究すれば、明らかになるであろう。本発明の様々な特徴は、本発明の範囲から逸脱しない、以下に記載されている実施例以外の実施例を作成するよう組み合わされることは、当業者には分かるであろう。
【００２５】
ここで、本発明の実施例を示す添付の図面を参照して、本発明のこれら及び他の態様をより詳細に記載する。
【図面の簡単な説明】
【００２６】
【図１】本発明の現在好ましい実施例によるホルダ及び制御インタフェースモジュールに取り付けられるよう適応される照明モジュールの分解斜視図を図示する。
【図２】本発明の現在好ましい実施例による制御インタフェースモジュール及びホルダに接続された照明モジュールの斜視図を図示する。
【図３】本発明の現在好ましい実施例によるホルダに接続された照明モジュールの斜視図を図示する。
【発明を実施するための形態】
【００２７】
ここで、本発明の現在好ましい実施例が示されている添付の図面を参照して、以下に、本発明をより詳細に記載する。しかしながら、この発明は、多様な形態で実施されることができ、ここに記載されている実施例に限定されると解釈されるべきではなく、もっと正確に言えば、これらの実施例は、完全及び完璧を期すために示されており、本発明の範囲を熟練した受取人に十分に伝える。全体を通して、同様の参照符号は、同様の要素を指す。
【００２８】
ここで、図面、とりわけ、図１を参照すると、本発明の現在好ましい実施例による、照明モジュール１００、制御インタフェースモジュール２００及びホルダ３００の分解斜視図が図示されている。図１の実施例に図示されているように、照明モジュール１００は、外面１０２を持つ円形状のものである。照明モジュール１００の外面１０２は、ここでは、突出部１０４、１０４'、１０４''として図示されている、３つの間隔をおいて配置された機械的接続素子を有する。突出部１０４、１０４'、１０４''は、図示されている実施例においては、円周方向に、ほぼ120°の間隔内で配置されている。突出部１０４、１０４'、１０４''は、制御インタフェースモジュール２００及びホルダ３００に取り付けられる場合に、下で更に説明する、制御インタフェースモジュール２００及びホルダ３００に配設される、対応する凹部２０４、２０４'、２０４''、３０４、３０４'、３０４''に嵌合されるよう構成される。その上、照明モジュールは、外面１０２の下端部に電気接点素子１０６を更に有する。電気接点素子１０６は、電力を受け取り、照明モジュール１００に配設される光源（図示せず）に電力を供給するよう構成される。照明モジュールに配設される光源は、例えば、１つ又は複数のＬＥＤであり得る。また、ほぼ電気接点素子１０６の上に位置する位置に、制御信号コネクタ１０８が配設される。制御信号コネクタ１０８は、照明モジュール１００に配設される光源に制御信号を伝えるよう構成される導電性素子を有する。制御信号コネクタ１０８には、制御インタフェースモジュール２００に接続される前には、下で図２の説明に関連してより詳細に説明する保護素子２０８が設けられ得る。 
【００２９】
ここで、とりわけ、図１に図示されている制御インタフェースモジュール２００及びホルダ３００を参照する。ホルダ３００は、照明モジュールが、例えばアパート、オフィス空間などの所望の位置に配設されるように、例えば屋根又は壁などに接続され、照明モジュール１００を固定するよう構成される。ホルダ３００は、照明モジュール１００の外面１０２とほぼ同様の直径を持つ内面３０２を有する。更に、照明モジュール１００を受け、ホルダ３００に固定することを可能にするために、図示されている実施例においては、ホルダ３００は、その内面３０２に、３つの間隔をおいて配置される凹部３０４、３０４'、３０４''を更に有する。間隔をおいて配置される凹部３０４、３０４'、３０４''は、円周方向に、ほぼ120°の間隔内で配置され、従って、上述の照明モジュール１００の突出部１０４、１０４'、１０４''と合うよう適応される。また、ホルダの凹部３０４、３０４'、３０４''の各々が、カーブ状開口部を更に有し、故に、例えばバヨネット取り付け具のようなカーブ状開口部に突出部１０４、１０４'、１０４''をねじり入れることによって、照明モジュールはホルダに固定され得る。 
【００３０】
ホルダ３００は、外面に受電素子３０６を更に有する。受電素子３０６は、例えば電源コネクタであってもよく、ワイヤ３１５を通じて外部電源に接続されるよう適応される。その上、受電素子３０６は、ホルダ３００の内面３０２に配設される電気的接続素子３０８に更に接続される。これらの電気的接続素子３０８は、照明モジュール１００に配設される光源に電力を供給するための照明モジュール１００上の対応する接点素子１０６に接続されるよう適応される。また更に、ホルダ３００は、図示されている実施例においては、３つのアタッチメント部３１０、３１０'、３１０''も有する。これらのアタッチメント部３１０、３１０'、３１０''は、制御インタフェースモジュール２００の対応するアタッチメント部と一致させるよう構成される。これによって、制御インタフェースモジュール２００は、アタッチメント部によって、例えば、アタッチメント部を通して配設されるネジ又はボルトにより、ホルダに取り付けられ得る。これは、好ましくは、ホルダ及びモジュールが製造される工場で実行され得るが、当然、オフィス空間、アパートなどのような照明モジュールが設けられるべきである場所でも、ホルダ及び制御インタフェースモジュールの組み立ては実行され得る。
【００３１】
ここで、とりわけ、制御インタフェースモジュール２００を参照する。図１の例示実施例に図示されているように、制御インタフェースモジュール２００は、上記のように、３つの間隔をおいて配置された凹部２０４、２０４'、２０４''を有する。制御インタフェースモジュール２００の凹部２０４、２０４'、２０４''は、ホルダ３００の場合と同様に、円周方向に、ほぼ120°の間隔内で、制御インタフェースモジュール２００の内面２０２に配置され、制御インタフェースモジュール２００がホルダ３００に取り付けられる場合に、ホルダ３００の凹部３０４、３０４'、３０４''と一致させるよう構成される。従って、制御インタフェースモジュール２００がホルダ３００に取り付けられる場合、照明モジュール１００の突出部１０４、１０４'、１０４''が、照明モジュール１００の固定のために、制御インタフェースモジュール２００及びホルダ３００の各々の凹部を通過するよう構成される。その上、ホルダ３００と同様に、制御インタフェースモジュール２００も、ホルダ３００のアタッチメント部３１０、３１０'、３１０''と一致させるよう構成される３つのアタッチメント部２１０、２１０、２１０を有する。これによって、制御インタフェースモジュール２００は、上記のように、例えば、各々のアタッチメント部を通して配設されるネジ又はボルトにより、ホルダ３００に取り付けられ得る。
【００３２】
制御インタフェースモジュール２００は、その外面２１２に制御信号入力インタフェース２１４を更に有する。制御信号入力インタフェース２１４は、制御ユニットから少なくとも１本のワイヤ２１５を受けるよう構成される。制御ユニットは、例えば、ＤＡＬＩインタフェースなどに接続され得る。その上、制御信号入力インタフェース２１４は、制御インタフェースモジュール２００の内面２０２に配設される制御信号出力インタフェース２１６に更に接続される。制御信号出力インタフェース２１６は、照明モジュール１００の制御信号コネクタ１０８に接続されるよう適応される。従って、これによって、制御ユニットからの制御信号が、制御信号入力インタフェース２１４及び制御信号出力インタフェース２１６を介して制御ユニットから照明モジュール１００の光源へ伝えられるよう適応される。 
【００３３】
照明モジュール１００と制御インタフェースモジュール２００及びホルダ３００の接続を要約するため、更に図２を参照すると、照明モジュール１００の突出部１０４、１０４'、１０４''は、制御インタフェースモジュール２００及びホルダ３００に配設される対応する凹部２０４、２０４'、２０４''、３０４、３０４'、３０４''を通るよう設けられる。更に、突出部１０４、１０４'、１０４''は、照明モジュール１００をホルダ３００に固定するために、例えば、バヨネット取り付け具によって、ホルダ３００に接続され得る。照明モジュール１００が、ホルダ３００に取り付けられ、固定される場合、照明モジュールの電気接点素子１０６は、ホルダ３００の電気的接続素子３０８に接続され、制御信号コネクタ１０８は、制御インタフェースモジュール２００の制御信号出力インタフェース２１６に接続される。これによって、電力及び例えば光源からの光の特性の制御が、照明モジュール１００に供給される。
【００３４】
ここで、本発明の実施例によるホルダに接続された照明モジュールの斜視図を図示している図３を参照する。図示されている図３の実施例においては、照明モジュール１００が、ホルダ３００であって、ホルダ３００に接続される制御インタフェースモジュール２００を持たないホルダ３００に固定されている。従って、照明モジュール１００は、或る規格の仕様を満たす標準的なホルダとの接続に関して互換性を持ち得る。その上、制御信号コネクタ１０８には、保護素子２０８が設けられる。保護素子２０８は、例えば、照明モジュール１００が制御インタフェースモジュール２００なしにホルダ３００に接続される場合に、外部からの損傷からの制御信号コネクタ１０８の保護を供給するよう適応される。保護素子２０８は、照明モジュール１００を制御インタフェースモジュール２００及びホルダ３００に固定する前の保護の役割も果たし得る。その上、保護素子２０８は、更に、照明モジュール１００が制御インタフェースモジュール２００に接続される場合に保護素子２０８が自動的に取り外されるように構成される。これは、例えば、着脱可能なスナップ式の素子などの形態の保護素子を有することによって、達成され得る。
【００３５】
たとえ、本発明が、本発明の特定の例示実施例に関して説明されていても、当業者には、多くの異なる変形例、修正例などが明らかになるだろう。開示されている実施例の変形は、当業者により、請求項記載の発明の実施において、図面、明細及び添付の請求項の研究から、理解され、達成され得る。更に、請求項において、「有する」という用語は、他の要素又はステップを除外せず、単数形表記は、複数性を除外しない。
【図１】
2015500559.tif 000003
【図２】
2015500559.tif 000004
【図３】
2015500559.tif 000005
【国際調査報告】
2015500559.tif 000006
2015500559.tif 000007
2015500559.tif 000008